(57)【要約】【課題】情報通信端末にそれが使われる場所に応じたネットワーク機器利用設定を行うことを、容易にする。【解決手段】ユーザが情報処理端末１０１を携帯して或る場所に入るとき、その場所の出入口の入退場管理装置１０３が、ユーザの携帯するICカードに、その場所に設置されたネットワーク１０４とネットワーク機器１０２にそれぞれ対応したネットワーク情報とネットワーク機器利用情報を書き込む。その後、ユーザが情報処理端末１０１にログインするとき、情報処理端末１０１がICカードからネットワーク情報とネットワーク機器利用情報を読み取り、その情報を用いて、その場所のネットワーク１０４とネットワーク機器１０２にそれぞれ対応したネットワーク設定パラメータとネットワーク機器利用設定パラメータを情報処理端末１０１に自動設定する。【選択図】図２
2010102410.tif 000002
【特許請求の範囲】
【請求項１】
相互通信可能な携帯メモリと情報通信端末とを所持するユーザの所定場所への入退場を制御するための入退場管理装置において、
前記携帯メモリに、データを読み書きする携帯メモリ通信手段と、
前記ユーザが前記所定場所に入ることを許された者か否かを判断するためのユーザ認証を、前記携帯メモリに予め記憶されているユーザ情報に基づいて行うユーザ管理手段と、
前記所定場所内で利用可能な所定のネットワーク機器を利用するための前記所定のネットワーク機器の属性に依存したネットワーク機器利用設定パラメータ、を前記情報通信端末に設定するためのネットワーク機器利用情報を管理するネットワーク機器利用情報管理手段と
を備え、
前記ユーザが前記所定場所に入る際、前記携帯メモリ通信手段が、前記携帯メモリから前記ユーザ情報を読み、
前記ユーザ管理手段が、前記携帯メモリ通信手段によって前記携帯メモリから読まれた前記ユーザ情報に基づいて、前記ユーザ認証を行ない、
前記ユーザ管理手段による前記ユーザ認証が成功した場合に、前記携帯メモリ通信手段が、前記ネットワーク機器利用情報管理手段に管理されている前記ネットワーク機器利用情報を、前記携帯メモリへ書き込む、
入退場管理装置。
【請求項２】
請求項１記載の入退場管理装置において、
前記所定場所内で所定のネットワークに接続するための前記所定のネットワークの属性に依存したネットワーク設定パラメータ、を前記情報通信端末に設定するためのネットワーク情報を管理するネットワーク情報管理手段
をさらに備え、
前記ユーザ管理手段による前記ユーザ認証が成功した場合に、前記携帯メモリ通信手段が、前記ネットワーク情報管理手段に管理されている前記ネットワーク情報を、前記携帯メモリへ書き込む、
入退場管理装置。
【請求項３】
請求項１又は２のいずれか一項記載の入退場管理装置において、
前記携帯メモリ通信手段から前記携帯メモリに書き込まれる前記ネットワーク機器利用情報が、前記ネットワーク機器利用設定パラメータを含む、
入退場管理装置。
【請求項４】
請求項１〜３のいずれか一項記載の入退場管理装置において、
前記携帯メモリ通信手段から前記携帯メモリに書き込まれる前記ネットワーク機器利用情報が、前記ネットワーク機器利用設定パラメータの所在地を示すＵＲＬを含む、
入退場管理装置。
【請求項５】
予め設定された任意のネットワークの属性に依存したネットワーク設定パラメータと任意のネットワーク機器の属性に依存したネットワーク機器利用設定パラメータとを用いることで、前記任意のネットワークに接続し、そして前記任意のネットワーク機器を利用するネットワーク機器利用手段を備えた情報通信端末において、
ユーザに携帯される携帯メモリからデータを読み取るための携帯メモリ読み取り手段と、
或るネットワーク機器の属性に依存したネットワーク機器利用設定パラメータを前記ネットワーク機器利用手段に設定するためのネットワーク機器利用情報が、前記携帯メモリに記憶されている場合、前記携帯メモリ読み取り手段を用いて前記携帯メモリから前記ネットワーク機器利用情報を入力し、入力された前記ネットワーク利用情報に基づいて前記ネットワーク機器利用設定パラメータを取得又は生成し、取得又は生成された前記ネットワーク機器利用設定パラメータを前記ネットワーク機器利用手段に設定するネットワーク機器利用設定手段と
を備えた情報通信端末。
【請求項６】
請求項５記載の情報通信端末において、
或るネットワークの属性に依存したネットワーク設定パラメータを前記ネットワーク機器利用手段に設定するためのネットワーク情報が、前記携帯メモリに記憶されている場合、前記携帯メモリ読み取り手段を用いて前記携帯メモリから前記ネットワーク情報を入力し、入力された前記ネットワーク情報に基づいて前記ネットワーク設定パラメータを取得又は生成し、取得又は生成された前記ネットワーク設定パラメータを前記ネットワーク機器利用手段に設定するネットワーク設定手段
をさらに備え、
前記携帯メモリから前記ネットワーク機器利用情報と前記ネットワーク情報とを入力した場合、前記ネットワーク設定手段が前記ネットワーク情報に基づいて前記ネットワーク設定パラメータの設定を行ない、その後、前記ネットワーク機器利用設定手段が前記ネットワーク機器利用情報に基づいて前記ネットワーク機器利用設定パラメータを設定する、
情報通信端末。
【請求項７】
請求項５又は６のいずれか一項記載の情報通信端末において、
前記携帯メモリから読み取られた前記ネットワーク機器利用情報に基づいて設定された前記ネットワーク機器利用設定パラメータによって特定されたネットワーク機器、とは異なるネットワーク機器を利用する要求が入力された場合、前記ユーザに警告を出力する警告手段
をさらに備えた情報通信端末。
【請求項８】
請求項５〜７のいずれか一項記載の情報通信端末において、
前記携帯メモリから読み取られた前記ネットワーク機器利用情報に基づいて前記ネットワーク機器利用設定パラメータが設定された場合、他の既設定のネットワーク機器利用設定パラメータを無効化するネットワーク機器利用設定排他手段
をさらに備えた情報通信端末。
【請求項９】
請求項６〜８のいずれか一項記載の情報通信端末において、
前記携帯メモリから読み取られた前記ネットワーク情報に基づいて前記ネットワーク設定パラメータが設定された場合、他の既設定のネットワーク設定パラメータを無効化するネットワーク設定排他手段
をさらに備えた情報通信端末。
【請求項１０】
請求項５〜９のいずれか一項記載の情報通信端末において、
前記携帯メモリから読み取られた前記ネットワーク機器利用情報及び／又は前記ネットワーク情報に基づいて前記ネットワーク機器利用設定パラメータ及び／又は前記ネットワーク設定パラメータが設定された場合、その後に所定の事象の発生に応答して、設定された前記ネットワーク機器利用設定パラメータ及び／又は前記ネットワーク設定パラメータを削除する設定削除手段
をさらに備えた情報通信端末。
【請求項１１】
請求項１０記載の情報通信端末において、
前記所定の事象が、前記携帯メモリ読み取り手段が前記携帯メモリのデータを読み取れなくなったことを含む、
情報通信端末。
【請求項１２】
請求項１０又は１１のいずれか一項記載の情報通信端末において、
前記所定の事象が、前記ユーザが前記情報通信端末からログアウトしたことを含む、
情報通信端末。
【請求項１３】
請求項１０〜１２のいずれか一項記載の情報通信端末において、
前記所定の事象が、前記携帯メモリ読み取り手段が前記携帯メモリから別の前記ネットワーク機器利用情報及び／又は前記ネットワーク情報を読み取ったことを含む、
情報通信端末。
【請求項１４】
請求項１０〜１３のいずれか一項記載の情報通信端末において、
前記設定削除手段が、前記所定の事象が発生してから所定時間たった後に、設定された前記ネットワーク機器利用設定パラメータ及び／又は前記ネットワーク設定パラメータを削除する、
情報通信端末。
【発明の詳細な説明】
【技術分野】
【０００１】
本発明は、携帯型パーソナルコンピュータのような情報通信端末に、それに使われる場所に応じたネットワーク機器利用設定を行うことを容易にするための、入退場管理装置及び情報通信端末に関する。
【背景技術】
【０００２】
近年、パーソナルコンピュータのような情報通信端末がモバイル機器として普及したことに伴い、ユーザが情報通信端末を、頻繁に場所を変えながら利用する機会が増加している。このような現状を反映して、特許文献１では、情報通信端末の設置場所に基づく設定や、提供情報の作成を行うシステムが開示されている。
【０００３】
【特許文献１】特開２００６−３２３５６２号公報
【発明の開示】
【発明が解決しようとする課題】
【０００４】
特許文献１に記載のシステムによれば、場所に応じて適切に情報通信端末を設定可能である。しかし、設定を取得するためのサーバのアドレス情報や、サーバと通信するためのネットワーク情報等が、予め、情報端末に設定されていなければならない。また、例えばバーコードで提供される「場所コードラベル」を読み取る必要があるため、その読み取り操作をユーザがし忘れられたならば、正しい設定は適用されない。
【０００５】
従って、本発明の目的は、情報通信端末に、それが使われる場所に応じたネットワーク機器利用設定を行うことを、ユーザにとり一層容易にすることにある。
【課題を解決するための手段】
【０００６】
上記目的を達成するために、本発明の一つの側面に従えば、相互通信可能な携帯メモリと情報通信端末とを所持するユーザの所定場所への入退場を制御するための入退場管理装置において、前記携帯メモリに、データを読み書きする携帯メモリ通信手段と、前記ユーザが前記所定場所に入ることを許された者か否かを判断するためのユーザ認証を、前記携帯メモリに予め記憶されているユーザ情報に基づいて行うユーザ管理手段と、前記所定場所内で利用可能な所定のネットワーク機器を利用するための前記所定のネットワーク機器の属性に依存したネットワーク機器利用設定パラメータ、を前記情報通信端末に設定するためのネットワーク機器利用情報を管理するネットワーク機器利用情報管理手段とを備え、前記ユーザが前記所定場所に入る際、前記携帯メモリ通信手段が、前記携帯メモリから前記ユーザ情報を読み、前記ユーザ管理手段が、前記携帯メモリ通信手段によって前記携帯メモリから読まれた前記ユーザ情報に基づいて、前記ユーザ認証を行ない、前記ユーザ管理手段による前記ユーザ認証が成功した場合に、前記携帯メモリ通信手段が、前記ネットワーク機器利用情報管理手段に管理されている前記ネットワーク機器利用情報を、前記携帯メモリへ書き込む、ように構成された入退場管理装置が提供される。
【０００７】
したがって、ユーザが所定場所に入るとき、そのユーザの携帯メモリ（例えば、無線通信機能を持つＩＣカード）に、ネットワーク機器利用情報が自動的に書き込まれる。その後、そのユーザは、携帯メモリと情報通信端末との間の通信機能を利用することで、容易に、携帯メモリから情報通信端末へネットワーク機器利用情報を入力することができる。情報通信端末では、入力されたネットワーク機器利用情報に基づいて、その所定場所で利用可能な所定のネットワーク機器（例えば、その場所に設置されたネットワークプリンタ）の属性に依存した設定パラメータ（ネットワーク機器利用設定パラメータ）（例えば、そのネッワークプリンタのプリンタドライバ名、ネットワークアドレス、プリンタ名など）が設定される。従って、ユーザが或る場所に情報通信端末を持ち込んだ場合、情報通信端末内のネットワーク設定やネットワーク機器利用設定を、その場所のネットワーク機器利用環境に応じて追加・変更する操作が、ユーザにとり、より簡単になる。
【０００８】
上記の入退場管理装置は、前記所定場所内で所定のネットワークに接続するための前記所定のネットワークの属性に依存したネットワーク設定パラメータ、を前記情報通信端末に設定するためのネットワーク情報を管理するネットワーク情報管理手段をさらに備え、前記ユーザ管理手段による前記ユーザ認証が成功した場合に、前記携帯メモリ通信手段が、前記ネットワーク情報管理手段に管理されている前記ネットワーク情報を、前記携帯メモリへ書き込む、ように構成されてよい。
【０００９】
この構成によれば、所定場所でネットワーク機器を利用できるように情報通信端末を設定する場合、通常、そのネットワーク機器そのものの属性に依存したネットワーク機器利用設定パラメータだけでなく、その場所のネットワークの属性に依存したネットワーク設定パラメータ（例えば、ホスト名、ゲートウェイのネットワークアドレス、その情報通信端末に割り当てられるネットワークアドレスなど）も、その情報通信端末に設定される必要がある。上記の構成によれば、ネットワーク機器利用設定パラメータを設置するためのネットワーク機器利用情報だけでなく、ネットワーク設定パラメータを設定するためのネットワーク情報も、自動的にユーザの携帯メモリに書き込まれる。従って、ユーザが或る場所に情報通信端末を持ち込んだ場合、情報通信端末内のネットワーク設定やネットワーク機器利用設定を、その場所のネットワーク機器利用環境に応じて追加・変更する操作が、ユーザにとりより一層簡単になる。
【００１０】
上記の入退場管理装置は、また、前記携帯メモリ通信手段から前記携帯メモリに書き込まれる前記ネットワーク機器利用情報が、前記ネットワーク機器利用設定パラメータを含む、ように構成されてよい。
【００１１】
この構成によれば、ユーザの携帯メモリには、情報通信端末に設定されるべきネットワーク機器利用設定パラメータそのものが書き込まれる。従って、実質的に入退場管理装置がもつ機能だけで（つまり、情報通信端末が特別の設定機能を備えてなくても）、情報通信端末へのネットワーク機器利用設定の設定作業が実行できる。よって、ユーザが入った場所の環境に応じて情報通信端末の設定を追加・変更する操作が、ユーザにとり一層簡単になる。
【００１２】
上記の入退場管理装置は、また、前記携帯メモリ通信手段から前記携帯メモリに書き込まれる前記ネットワーク機器利用情報が、前記ネットワーク機器利用設定パラメータの所在地を示すＵＲＬを含む、ように構成されてよい。
【００１３】
この構成によれば、情報通信端末は、携帯メモリから入力されたＵＲＬ（例えば、ネットワーク機器利用設定パラメータを提供するサーバコンピュータのＵＲＬ）を用いて、ネットワーク機器利用設定パラメータを取得して設定することができるようになる。場所ごとに異なるとともに将来変わる可能性のあるネットワーク機器利用設定パラメータの管理を、そのＵＲＬ（例えば、そのサーバコンピュータ）で一括して行うことができる。例えば、将来、或るネットワーク機器が或る場所から撤去されたり、新しいネットワーク機器がその場所へ設置される可能性がある。その場合でも、その場所に関連付けられたＵＲＬにて管理されるネットワーク機器利用設定パラメータを更新すれば、その同じＵＲＬは将来の有効であり続ける。従って、ユーザは、一旦携帯メモリ又は情報通信端末に入力されたＵＲＬを将来的に使うことができる。よって、ユーザが入った場所の環境に応じて情報通信端末の設定を追加・変更する操作が、ユーザにとり一層簡単になる。
【００１４】
本発明の別の側面に従えば、予め設定された任意のネットワークの属性に依存したネットワーク設定パラメータと任意のネットワーク機器の属性に依存したネットワーク機器利用設定パラメータとを用いることで、前記任意のネットワークに接続し、そして前記任意のネットワーク機器を利用するネットワーク機器利用手段を備えた情報通信端末において、ユーザに携帯される携帯メモリからデータを読み取るための携帯メモリ読み取り手段と、或るネットワーク機器の属性に依存したネットワーク機器利用設定パラメータを前記ネットワーク機器利用手段に設定するためのネットワーク機器利用情報が、前記携帯メモリに記憶されている場合、前記携帯メモリ読み取り手段を用いて前記携帯メモリから前記ネットワーク機器利用情報を入力し、入力された前記ネットワーク利用情報に基づいて前記ネットワーク機器利用設定パラメータを取得又は生成し、取得又は生成された前記ネットワーク機器利用設定パラメータを前記ネットワーク機器利用手段に設定するネットワーク機器利用設定手段とを備えた、情報通信端末が、提供される。
【００１５】
したがって、携帯メモリに予め書き込まれているネットワーク機器利用情報に基づいて、自動的に、特定のネットワーク機器を利用するためのネットワーク機器利用設定パラメータを設定することができる。従って、ユーザが入った場所で利用可能なネットワーク機器に関連したネットワーク機器利用情報が予め携帯メモリに書き込まれていれば、ユーザが或る場所に情報通信端末を持ち込んだ場合、情報通信端末内のネットワーク設定やネットワーク機器利用設定を、その場所のネットワーク機器利用環境に応じて追加・変更する操作が、ユーザにとりより一層簡単になる。特に、この情報通信端末を本発明に従う入退場管理装置と組み合わせて用いれば、上記の利便性がさらに向上する。
【００１６】
上記の情報通信端末は、或るネットワークの属性に依存したネットワーク設定パラメータを前記ネットワーク機器利用手段に設定するためのネットワーク情報が、前記携帯メモリに記憶されている場合、前記携帯メモリ読み取り手段を用いて前記携帯メモリから前記ネットワーク情報を入力し、入力された前記ネットワーク情報に基づいて前記ネットワーク設定パラメータを取得又は生成し、取得又は生成された前記ネットワーク設定パラメータを前記ネットワーク機器利用手段に設定するネットワーク設定手段をさらに備え、前記携帯メモリから前記ネットワーク機器利用情報と前記ネットワーク情報とを入力した場合、前記ネットワーク設定手段が前記ネットワーク情報に基づいて前記ネットワーク設定パラメータの設定を行ない、その後、前記ネットワーク機器利用設定手段が前記ネットワーク機器利用情報に基づいて前記ネットワーク機器利用設定パラメータを設定する、ように構成されてよい。
【００１７】
この構成によれば、ネットワーク機器利用設定パラメータの設定だけでなく、ネットワーク設定パラメータの設定も、自動的に行われる。従って、情報通信端末内のネットワーク設定やネットワーク機器利用設定を、その場所のネットワーク機器利用環境に応じて追加・変更する操作が、ユーザにとりより一層簡単になる。特に、この情報通信端末を本発明に従う入退場管理装置と組み合わせて用いれば、上記の利便性がさらに向上する。
【００１８】
上記の情報通信端末は、また、前記携帯メモリから読み取られた前記ネットワーク機器利用情報に基づいて設定された前記ネットワーク機器利用設定パラメータによって特定されたネットワーク機器、とは異なるネットワーク機器を利用する要求が入力された場合、前記ユーザに警告を出力する警告手段をさらに備えてもよい。
【００１９】
この構成によれば、ユーザが頻繁に移動しながら次々に異なる場所で情報処理端末を使用するような場合、ユーザが、現在の場所とは違う場所に設定されているネットワーク機器を間違って利用すること（例えば、別の場所のプリンタを間違って利用してしまうと、ユーザにとり印刷物を取得することが困難になる）を、警告によって未然に防止できる。よって、場所に応じてネットワーク機器利用環境に応じて追加・変更する操作が、ユーザにとりより一層簡単になる。
【００２０】
上記の情報通信端末は、また、前記携帯メモリから読み取られた前記ネットワーク機器利用情報に基づいて前記ネットワーク機器利用設定パラメータが設定された場合、他の既設定のネットワーク機器利用設定パラメータを無効化するネットワーク機器利用設定排他手段をさらに備えてもよい。
【００２１】
この構成によれば、さらに一層強力に、現在の場所とは違う場所に設定されているネットワーク機器を間違って利用することが防止される。
【００２２】
上記の情報通信端末は、また、前記携帯メモリから読み取られた前記ネットワーク情報に基づいて前記ネットワーク設定パラメータが設定された場合、他の既設定のネットワーク設定パラメータを無効化するネットワーク設定排他手段さらに備えてもよい。
【００２３】
この構成によれば、ユーザが、現在の場所とは違う場所のネットワーク設定を間違って使用しようとすること（ネットワークに接続できないことになる）を、自動的に防止できる。よって、場所に応じてネットワーク機器利用環境に応じて追加・変更する操作が、ユーザにとりより一層簡単になる。
【００２４】
この構成によれば、或る場所で設定されたネットワーク機器利用設定又はネットワーク設定や、居室に関連する情報が、その場所の外部へ漏れるのを防ぐことができるため、セキュリティが向上する。また、ユーザが別の場所で間違って、以前の場所のネットワーク機器を利用してしまう可能性が低くなる。よって、場所に応じてネットワーク機器利用環境に応じて追加・変更する操作が、ユーザにとり、より一層簡単になる。
【００２５】
上記の情報通信端末は、また、前記携帯メモリから読み取られた前記ネットワーク機器利用情報及び／又は前記ネットワーク情報に基づいて前記ネットワーク機器利用設定パラメータ及び／又は前記ネットワーク設定パラメータが設定された場合、その後に所定の事象の発生に応答して、設定された前記ネットワーク機器利用設定パラメータ及び／又は前記ネットワーク設定パラメータを削除する設定削除手段をさらに備えもよい。
【００２６】
上記の所定の事象には、例えば、
A.  前記携帯メモリ読み取り手段が前記携帯メモリのデータを読み取れなくなったこと、
B.  前記ユーザが前記情報通信端末からログアウトしたこと、及び／又は、
C.  前記携帯メモリ読み取り手段が前記携帯メモリから別の前記ネットワーク機器利用情報及び／又は前記ネットワーク情報を読み取ったこと、
を含むことができる。
【００２７】
この構成によれば、不要になった設定パラメータを適宜削除し、必要な設定パラメータだけを情報通信端末に貯めておくことができる。これによりユーザが誤って場外ネットワーク機器を利用することによる情報漏洩のリスクが減少でき、セキュリティが向上できる。またユーザがネットワーク機器を利用する際の機器選択も容易になり、場所に応じてネットワーク機器利用環境に応じて追加・変更する操作が、ユーザにとり、より一層簡単になる。
【００２８】
上記の情報通信端末は、また、前記設定削除手段が、前記所定の事象が発生してから所定時間たった後に、設定された前記ネットワーク機器利用設定パラメータ及び／又は前記ネットワーク設定パラメータを削除する、ように構成されてよい。
【００２９】
この構成によれば、設定の削除までに所定の時間を置くことで、ユーザの操作ミスにより所定事象が発生した場合（例えば、ユーザが誤ってログアウトした場合）に、その操作を取り消すことができる。そのため、ユーザにとり、上述した利便性が向上する。
【発明の効果】
【００３０】
本発明に従う入退場管理装置によれば、ユーザが或る場所に情報通信端末を持ち込んだ場合、情報通信端末内のネットワーク設定やネットワーク機器利用設定を、その場所のネットワーク機器利用環境に応じて追加・変更する操作が、ユーザにとり、より簡単になる。
【発明を実施するための最良の形態】
【００３１】
以下、図面を参照して本発明の一実施形態を説明する。
【００３２】
図１は、本発明の一実施形態に係る情報通信端末と入退場管理装置がネットワーク接続されたネットワークシステムの構成図である。
【００３３】
本ネットワークシステムは、異なる場所のいずれかに配置された(又は、上記異なる場所間を移動可能な携帯型の）少なくとも1台の情報通信端末１０１と、1台以上（典型的には上記異なる場所にそれぞれ配置された複数台）のネットワーク機器１０２と、1台以上（典型的には上記異なる場所にそれぞれ配置された複数台）の入退場管理装置１０３と、1以上（典型的には上記異なる場所にそれぞれ設備され、それぞれの場所に存在する各種装置と接続される複数）のネットワーク１０４とを備える。
【００３４】
図１に示された具体例では、第1の場所（例えば或る部屋Ａ）内に、第１のネットワーク機器１０２−１（例えばネットワークプリンタＡ１）と第２のネットワーク機器１０２−２（例えばネットワークプリンタＡ２）が配置される。第1の場所の出入口付近に、第１の入退場管理装置１０３−１が配置される。そして、それらの装置１０２−１、１０２−２、１０３−１が、第1の場所に設備された第１のネットワーク１０４−１に接続される。また、第2の場所（例えば別の部屋Ｂ）内には、第３のネットワーク機器１０２−３（例えばネットワークプリンタＢ）が設置される。第2の場所の出入口付近には、第２の入退場管理装置１０３−２が設置される。これらの装置１０２−３、１０３−２が、第2の場所に設備された第２のネットワーク１０４−２と接続される。第１と第２のネットワーク１０４−１及び１０４−２は相互接続される。さらに、1台の情報通信端末１０１（例えばパーソナルコンピュータ）があり、これは第1の場所に設置されて第１のネットワーク１０４−１に接続されるか、又は、ユーザに携帯されて第1と第2の場所のいずれへも移動可能であって、移動先の場所のネットワーク（図示の例では、第1の場所にある第１のネットワーク１０４−１）と接続される。
【００３５】
図２は、図１のネットワークシステムに含まれるそれぞれの装置の機能的な構成を示すブロック図である。
【００３６】
情報通信端末１０１は、ネットワーク機器利用手段２０１、ネットワーク機器利用設定手段２０２、ネットワーク設定手段２０３、カード読み取り手段２０４、警告手段２０５、ネットワーク機器利用設定排他手段２０６、ネットワーク設定排他手段２０７、設定削除手段２０８を備える。
【００３７】
ネットワーク機器１０２は、情報通信端末１０１から発行されるジョブ（例えば、印刷ジョブ）を実行するジョブ実行手段２１１を備える。
【００３８】
入退場管理装置１０３は、ネットワーク機器利用情報管理手段２２１、ユーザ認証手段２２２、ゲート制御手段２２３、ネットワーク情報管理手段２２４、カード情報読み書き手段２２５を備える。
【００３９】
次に、それぞれの装置１０１、１０２、１０３の機能を説明する。
【００４０】
まず、入退場管理装置１０３の機能を説明する。
【００４１】
入退場管理装置１０３は、ユーザの所定場所への入退場を、ゲート制御手段２２３により制御するものである。この入退場管理装置１０３を使用するとき、ユーザは、通信機能をもつ携帯メモリ（図示省略）を所持する。その携帯メモリは、入退場管理装置１０３と相互通信可能であり、また、情報通信端末１０１とも相互通信可能である。以下の説明では、その携帯メモリは、一例として、ＩＣカードであるとする。
【００４２】
一般に、入退場管理装置１０３は、所定の建物や部屋などの所定場所の出入り口付近に設置され、ユーザがその所定場所に入退場しようとするとき、そのユーザの所持するＩＣカードに記録されているそのユーザの属性を示すデータ(本実施形態では、例えばユーザＩＤとする）をカード情報読み書き手段（携帯メモリ通信手段）２２５で読み取って、ユーザ認証手段（ユーザ管理手段）２２２により、そのユーザの個人認証を行なう。そして、入退場管理装置１０３は、個人認証に成功した場合にのみ、ゲート制御手段２２３によりゲートを開いて、そのユーザに入退場を許可することで、機密の漏洩の防止を図る。
【００４３】
本実施形態においては、入退場管理装置１０３は、上記したようなユーザの入退場の制御する役割の他に、ユーザに入場を許可した際に、情報通信端末１０１に、それが使われる場所に応じたネットワーク機器利用設定を行うための情報を、ユーザのＩＣカードに書き込むという役割も有している。
【００４４】
即ち、入退場管理装置１０３のカード情報読み書き手段２２５に、ユーザがＩＣカードをセットしてユーザ認証が成功すると、図３に示すような情報がカード情報読み書き手段２２５によりそのＩＣカードに書き込まれる。
【００４５】
図３に示すように、ＩＣカードに書き込まれる情報の項目には、ネットワーク情報とネットワーク機器利用情報の２種類の項目がある。
【００４６】
ネットワーク情報は、所定場所内で所定のネットワーク、例えば、図１の第1の場所内の第１のネットワーク１０４−１又は第２の場所内の第２のネットワーク１０４−２に接続するための、そのネットワーク１０４−１又は１０４−２の属性に依存したネットワーク設定パラメータ（例えば、情報通信端末１０１のＩＰアドレスとホスト名、そのネットワークのゲートウェイのＩＰアドレスなど）を情報通信端末１０１に設定するための情報である。
【００４７】
このネットワーク情報は、入退場管理装置１０３のネットワーク情報管理手段２２４により管理される。本実施形態では、ネットワーク情報は、図３に例示されているように、ネットワーク設定パラメータそのものである。しかし、必ずしもそうでなければならないわけではなく、ネットワーク設定パラメータを情報通信端末１０１に設定することを可能にする情報であればよく、例えば、ネットワーク設定パラメータの所在地を示すＵＲＬ、或いは、ネットワーク設定パラメータを情報通信端末１０１に設定するよう情報通信端末１０１を動作させるコンピュータプログラムなどであってもよい。
【００４８】
また、ネットワーク機器利用情報は、所定場所内で利用可能な所定のネットワーク機器、例えば、図１の第1の場所内の第１と第２のネットワーク機器１０２−１及び１０２−２、又は第２の場所内の第３のネットワーク機器１０２−３を利用するための、それぞれのネットワーク機器１０２−１及び１０２−２、又は１０２−３の属性に依存したネットワーク機器利用設定パラメータ（例えば、その機器（図３の例ではプリンタ）のデバイスドライバ名、その機器のＩＰアドレス、その機器の機器名など）を情報通信端末１０１に設定するための情報である。
【００４９】
このネットワーク機器利用情報は、入退場管理装置１０３のネットワーク機器利用情報管理手段２２１により管理される。本実施形態では、ネットワーク機器利用情報は、図３に例示されているように、ネットワーク機器利用設定パラメータそのものである。しかし、必ずしもそうでなければならないわけではなく、ネットワーク機器利用設定パラメータを情報通信端末１０１に設定することを可能にする情報であればよく、例えば、ネットワーク機器利用設定パラメータの所在地を示すＵＲＬ、或いは、ネットワーク機器利用設定パラメータを情報通信端末１０１に設定するよう情報通信端末１０１を動作させるコンピュータプログラムなどであってもよい。
【００５０】
次に、情報通信端末１０１の機能を説明する。
【００５１】
情報通信端末１０１は、以下の機能を有するネットワーク機器利用手段２０１を備える。すなわち、ネットワーク機器利用手段２０１には、任意のネットワーク１０４の属性に依存したネットワーク設定パラメータと任意のネットワーク機器の属性に依存したネットワーク機器利用設定パラメータとが設定することができる。そして、ネットワーク機器利用手段２０１は、そこに予め設定されたネットワーク設定パラメータとネットワーク機器利用設定パラメータとを用いることで、任意のネットワーク１０４に接続すると共に、その任意のネットワーク１０４を通じて、任意のネットワーク機器１０２を利用する。
【００５２】
また、カード読み取り手段（携帯メモリ読み取り手段）２０４は、情報通信端末１０１にＩＣカードがセットされたとき、そのＩＣカードからデータ（例えば、ユーザＩＤ、ネットワーク情報およびネットワーク機器利用情報）を読み取る機能を有する。
【００５３】
また、情報通信端末１０１は、以下の機能を有するネットワーク設定手段２０３を備える。すなわち、ネットワーク設定手段２０３は、情報通信端末１０１にセットされたＩＣカードにネットワーク情報が記憶されている場合、カード読み取り手段２０４を用いて、そのＩＣカードからそのネットワーク情報を入力する。そして、ネットワーク設定手段２０３は、入力されたネットワーク情報に基づいて、ネットワーク設定パラメータを取得又は生成し、取得又は生成されたネットワーク設定パラメータをネットワーク機器利用手段２０１に設定する。
【００５４】
また、情報通信端末１０１は、以下の機能を有するネットワーク機器利用設定手段２０２を備える。ネットワーク機器利用設定手段２０２は、情報通信端末１０１にセットされたＩＣカードにネットワーク機器利用情報が記憶されている場合、カード読み取り手段２０４を用いて、そのＩＣカードからそのネットワーク機器利用情報を入力する。そして、ネットワーク機器利用設定手段２０２は、入力されたネットワーク機器利用情報に基づいて、ネットワーク機器利用設定パラメータを取得又は生成し、取得又は生成されたネットワーク機器利用設定パラメータをネットワーク機器利用手段２０１に設定する。
【００５５】
ところで、情報通信端末１０１は、カードからネットワーク機器利用情報とネットワーク情報とを入力した場合、ネットワーク設定手段２０３がネットワーク情報に基づいてネットワーク設定パラメータの設定を行ない、その後、ネットワーク機器利用設定手段２０２がネットワーク機器利用情報に基づいてネットワーク機器利用設定パラメータを設定する。
【００５６】
また、情報通信端末１０１は、以下の機能を有する警告手段２０５を備える。すなわち、警告手段２０５は、或るネットワーク機器１０２を利用する要求（例えば、或るプリンタへ印刷ジョブを発行する要求）が情報通信端末１０１にユーザから入力された場合、その入力要求で利用対象とされるネットワーク機器１０２が、先にＩＣカードから読み取られたネットワーク機器利用情報に基づいて設定されたネットワーク機器利用設定パラメータによって特定されるネットワーク機器１０２と、異なるか否かを判断し、その結果、異なる場合にユーザに警告を出力する。
【００５７】
また、情報通信端末１０１は、以下の機能を有するネットワーク機器利用設定排他手段２０６を備える。すなわち、ネットワーク機器利用設定排他手段２０６は、ＩＣカードから読み取られたネットワーク機器利用情報に基づいてネットワーク機器利用設定パラメータがネットワーク機器利用手段２０１に設定されるとき、既設定の他のネットワーク機器利用設定パラメータを無効化する（例えば、その既設定の他のネットワーク機器利用設定パラメータを、ネットワーク機器利用手段２０１から消去して、情報通信端末１０１内の所定の退避記憶領域に書き込む）。
【００５８】
また、情報通信端末１０１は、以下の機能を有するネットワーク設定排他手段２０７を備える。すなわち、ネットワーク設定排他手段２０７は、ＩＣカードから読み取られたネットワーク情報に基づいてネットワーク設定パラメータがネットワーク機器利用手段２０１に設定されるとき、既設定の他のネットワーク設定パラメータを無効化する（例えば、その既設定の他のネットワーク設定パラメータを、ネットワーク機器利用手段２０１から消去して、情報通信端末１０１内の所定の退避記憶領域に書き込む）。
【００５９】
また、情報通信端末１０１は、以下の機能を有する設定削除手段２０８を備える。すなわち、設定削除手段２０８は、ＩＣカードから読み取られたネットワーク機器利用情報及び／又はネットワーク情報に基づいてネットワーク機器利用設定パラメータ及び／又はネットワーク設定パラメータが設定された場合、その後の所定の事象の発生に応答して、設定されたネットワーク機器利用設定パラメータ及び／又はネットワーク設定パラメータを削除する（例えば、その既設定の他のネットワーク設定パラメータを、ネットワーク機器利用手段２０１から消去する）。
【００６０】
ここで、所定の事象としては、例えば、
Ａ．  カード読み取り手段２０４がＩＣカードのデータを読み取れなくなったこと（例えば、情報通信端末１０１に一旦セットされたＩＣカードが、情報通信端末１０１から取り外されたこと）、
Ｂ．  ユーザが情報通信端末１０１からログアウトしたこと、及び
Ｃ．  カード読み取り手段２０４がＩＣカードから別のネットワーク機器利用情報及び／又はネットワーク情報を読み取ったこと（例えば、ユーザが情報通信端末１０１を携帯して、今まで居た場所から別の場所に移動し、その移動先の場所でＩＣカードを情報通信端末１０１にセットしたこと）
などうちの全部又はいずれかを採用することができる。
【００６１】
また、設定削除手段２０８は、上記所定の事象が発生したときに、直ちに設定されているネットワーク機器利用設定パラメータ及び／又はネットワーク設定パラメータを削除するようになっていてもよいが、変形例として、上記所定の事象が発生してから所定時間たった後に、設定されているネットワーク機器利用設定パラメータ及び／又はネットワーク設定パラメータを削除するようになっていてもよい。
【００６２】
以下、図２のネットワークシステムの動作をさらにフローチャートに基いて説明する。
【００６３】
図４は、図２における入退場管理装置１０３によって実行される入場処理の手順を示すフローチャートである。
【００６４】
まず、カード読み取り待機（Ｓ１０１）の後、カード情報読み書き手段２２５は、その入退場管理装置１０３が管理する場所へ入場しようとするユーザのＩＣカードから、そのユーザのユーザＩＤを読み取る（Ｓ１０２）。
【００６５】
次に、ユーザ認証手段２２２は、ユーザＩＤに基づいてユーザの個人認証（ユーザ認証）を行ない、そのユーザ認証が成功したか否か判断し（Ｓ１０３）、ユーザ認証が成功した場合は、ネットワーク情報管理手段２２４は、カード情報読み書き手段２２５により、その入退場管理装置１０３が管理する（そのユーザが入場しようとする）場所に配置されたネットワーク１０４とネットワーク機器１０２に対応したネットワーク情報とネットワーク機器利用情報をＩＣカードに書き込む（Ｓ１０４、Ｓ１０５）。
【００６６】
図５は、図２における入退場管理装置１０３によって実行される退場処理の手順を示すフローチャートである。
【００６７】
まず、カード読み取り待機（Ｓ２０１）の後、ネットワーク情報管理手段２２４は、カード情報読み書き手段２２５により、入退場管理装置１０３が管理する場所から退場しようとするユーザのＩＣカードから、その場所へ入るときに書き込まれた（その場所に配置されたネットワーク１０４とネットワーク機器１０２に対応した）ネットワーク情報とネットワーク機器利用情報を消去する（Ｓ２０２、Ｓ２０３）。
【００６８】
図６は、図２における情報通信端末１０１によって実行されるログイン処理の手順を示すフローチャートである。
【００６９】
まず、カード読み取り待機（Ｓ３０１）の後、カード読み取り手段２０４は、情報通信端末１０１にセットされたＩＣカードからユーザＩＤの読み取りを行なう（Ｓ３０２）。
【００７０】
そして、Ｓ３０３で、そのユーザＩＤに基づいてログイン可能か否かが判断され、ログイン不可能と判断されると、警告手段２０５により、ログインエラー表示がなされる（Ｓ８０９）。
【００７１】
Ｓ３０３で、ログイン可能と判断されると、ネットワーク設定手段２０３は、そのＩＣカードからネットワーク情報の読み取りを行ない（Ｓ３０４）、そのネットワーク情報からネットワーク設定パラメータを取得又は生成して、そのネットワーク設定パラメータをネットワーク機器利用手段２０１に設定する（Ｓ３０５）。Ｓ３０５で、新たなネットワーク設定パラメータを設定するとき、（通常、ネットワーク機器利用手段２０１には、一つのネットワークに対応するネットワーク設定パラメータだけが設定可能であるので、）ネットワーク機器利用手段２０１に今まで設定されていた既存のネットワーク設定パラメータをネットワーク機器利用手段２０１から消去して、それを、情報通信端末１０１内の所定の退避記憶領域（図示せず）に書き込む（退避させる）。
【００７２】
続いて、ネットワーク機器利用設定手段２０２は、そのＩＣカードからネットワーク機器利用情報の読み取りを行ない（Ｓ３０６）、そのネットワーク機器利用情報からネットワーク機器利用設定パラメータを取得又は生成して、そのネットワーク機器利用設定パラメータをネットワーク機器利用手段２０１に設定する（Ｓ３０７）。Ｓ３０７で、新たなネットワーク機器利用設定パラメータを設定するとき、（通常、ネットワーク機器利用手段２０１には、複数のネットワークに対応するネットワーク機器利用設定パラメータが設定可能であるので、）ネットワーク機器利用手段２０１に今まで設定されていた既存のネットワーク設定パラメータをそのまま残して、新たなネットワーク機器利用設定パラメータを追加してもよいが、別法として、既存のネットワーク設定パラメータをネットワーク機器利用手段２０１から消去して、それを、情報通信端末１０１内の所定の退避記憶領域（図示せず）に書き込む（退避させる）ようにしてもよい。
【００７３】
Ｓ３０７により、例えば図１０に示すようなネットワーク機器利用設定パラメータが、情報通信端末１０１のネットワーク機器利用手段２０１に設定されることになる。すなわち、図１に示された部屋A（第1の場所）に情報通信端末１０１とユーザが居る場合には、図１０中の部屋AのプリンタＡ１、Ａ２（ネットワーク機器）のネットワーク機器利用設定パラメータが設定されることになるし、また、部屋Ｂに情報通信端末１０１とユーザが居る場合には、図１０中の部屋BのプリンタB（ネットワーク機器）のネットワーク機器利用設定パラメータが設定されることになる。
【００７４】
図７は、図２における情報通信端末によって実行されるログアウト処理の手順を示すフローチャートである。
【００７５】
Ｓ４０１でログアウト指示がなされると、Ｓ４０２で、設定削除手段２０８が、図６のログイン処理のＳ３０７で設定されたネットワーク機器利用設定パラメータがあったならば、その設定されたネットワーク機器利用設定パラメータをネットワーク機器利用手段２０１から削除する。このとき、図６のログイン処理のＳ３０７で退避されたネットワーク機器利用設定パラメータがあったなら、その退避されたネットワーク機器利用設定パラメータを、ネットワーク機器利用手段２０１に再設定してもよい。
【００７６】
なお、Ｓ４０２の後に、次のようなステップＳ４０３を行ってもよい（行わなくてもよい）。すなわち、Ｓ４０３で、設定削除手段２０８が、図６のログイン処理のＳ３０５で設定されたネットワーク設定パラメータがあったならば、設定されたネットワーク設定パラメータをネットワーク機器利用手段２０１から削除する。このとき、図６のログイン処理のＳ３０５で退避されたネットワーク設定パラメータがあったなら、その退避されたネットワーク設定パラメータを、ネットワーク機器利用手段２０１に再設定してもよい。
【００７７】
なお、上述したＳ４０２からＳ４０３の処理は、ログアウト時だけでなく、ログアウト時に代えて、ログイン時に設定されたネットワーク機器利用設定パラメータ及び／又はネットワーク設定パラメータが最早使用されなくなったと推定されるような所定の事象、例えば、
(1)  カード読み取り手段２０４がＩＣカードのデータを読み取れなくなったこと（例えば、情報通信端末１０１に一旦セットされたＩＣカードが、情報通信端末１０１から取り外されたこと）、及び／又は
(2)  カード読み取り手段２０４がＩＣカードから別のネットワーク機器利用情報及び／又はネットワーク情報を読み取ったこと（例えば、ユーザが情報通信端末１０１を携帯して、今まで居た場所から別の場所に移動し、その移動先の場所でＩＣカードを情報通信端末１０１にセットしたこと）
などに行うようにしても良い。
【００７８】
その場合、ログアウト又は上記所定の事象が発生した時、直ちに上述したＳ４０２からＳ４０３の処理を行ってよいが、変形例として、ログアウト又は上記所定の事象が発生してから所定時間たった後に、上述したＳ４０２からＳ４０３の処理を行なうようにしてもよい。そうすれば、ユーザの過ちでログアウト又は上記所定の事象を発生させた場合に、パラメータ設定を無駄にやり直さなければならない頻度が減る。
【００７９】
図８は、図２における情報通信端末１０１とネットワーク機器１０２（ここでは、例えばネットワークプリンタであるとする）によって実行される印刷処理の手順を示すフローチャートである。
【００８０】
まず、情報通信端末１０１は、自身のアプリケーションへ印刷を指示する（Ｓ５０１）。すると、ネットワーク機器利用手段２０１が、そこに設定されたネットワーク機器利用設定パラメータに基づいて使用できるプリンタの一覧を表示するので、ユーザはその一覧から所望のプリンタ（ネットワーク機器１０２）を選択し、続いて印刷ボタンを押下する（Ｓ５０３）。
【００８１】
ここで、警告手段２０５により、選択されたプリンタ（ネットワーク機器１０２）が、情報通信端末１０１と同じ場所に存在するプリンタ（ネットワーク機器１０２）かどうか（例えば、情報通信端末１０１と選択されたプリンタ（ネットワーク機器１０２）のＩＰアドレスが、同じドメインアドレスをもつか）が、その選択されたプリンタ（ネットワーク機器１０２）のネットワーク機器利用設定パラメータに基づいて判断される（Ｓ５０４）。選択されたプリンタ（ネットワーク機器１０２）が、情報通信端末１０１の存在場所の外に存在する場合は、警告手段２０５により例えば、図９に示すような警告が行われる（Ｓ５０５）。
【００８２】
ユーザが、図９の警告画面で、「はい」を選択すれば、つまり、ユーザが印刷の継続を希望した場合は（Ｓ５０６でtrue）、ネットワーク機器利用手段２０１が、そこに設定されているネットワーク設定パラメータと選択されたプリンタ（ネットワーク機器１０２）のネットワーク機器利用設定パラメータとを用いて選択されたプリンタ（ネットワーク機器１０２）と通信することで、プリンタ（ネットワーク機器１０２）へ印刷ジョブを発行する（Ｓ５０７）。
【００８３】
また、S５０４で、選択されたプリンタ（ネットワーク機器１０２）が、情報通信端末１０１と同じ場所にある場合も、ネットワーク機器利用手段２０１が、そこに設定されているネットワーク設定パラメータと選択されたプリンタ（ネットワーク機器１０２）のネットワーク機器利用設定パラメータとを用いて選択されたプリンタ（ネットワーク機器１０２）と通信することで、選択されたプリンタ（ネットワーク機器１０２）へ印刷ジョブを発行する（Ｓ５０８）。
【００８４】
選択されたプリンタ（ネットワーク機器１０２）では、ジョブ実行手段が、その印刷ジョブを実行する。
【００８５】
以上、本発明の一実施形態を説明したが、これは本発明の説明のための例示であり、本発明の範囲をそれのみに制限する趣旨ではない。本発明は、その要旨を逸脱することなしに、上述した実施形態以外の形態でも実施可能である。
【００８６】
例えば、上記実施形態では、それぞれの場所への出入りを管理する入退場管理装置が、それぞれの場所に適したネットワーク情報及びネットワーク機器利用情報を記憶しているが、変形例として、異なる場所への出入りをそれぞれ管理する複数の入退場管理装置がアクセスできる或るサーバ装置が、上記異なる場所にそれぞれ適したネットワーク情報及び／又はネットワーク機器利用情報を記憶されていて、それぞれの入退場管理装置に提供するようになっていてもよい。
【００８７】
また、情報通信端末に入力されるネットワーク情報及び／又はネットワーク機器利用情報が、ネットワーク設定パラメータ及び／又はネットワーク機器利用設定パラメータの所在を示すURLである場合、情報通信端末が、そのURLからネットワーク設定パラメータ及び／又はネットワーク機器利用設定パラメータを受け取って、その情報通信端末に設定するようになっていてよい。
【図面の簡単な説明】
【００８８】
【図１】本発明の実施形態に係る情報通信端末と入退場管理装置がネットワーク接続されたネットワークシステムの構成図である。
【図２】図１のネットワークシステムに含まれるそれぞれの装置の機能的な構成を示すブロック図である。
【図３】カード書き込み情報の例を示す図である。
【図４】図２における入退場管理装置によって実行される入場処理の手順を示すフローチャートである。
【図５】図２における入退場管理装置によって実行される退場処理の手順を示すフローチャートである。
【図６】図２における情報通信端末によって実行されるログイン処理の手順を示すフローチャートである。
【図７】図２における情報通信端末によって実行されるログアウト処理の手順を示すフローチャートである。
【図８】図２における情報通信端末とネットワーク機器（プリンタ）によって実行される印刷処理の手順を示すフローチャートである。
【図９】図２における警告手段に表示される警告例を示す図である。
【図１０】ネットワーク機器（プリンタ）利用設定パラメータの例を示す図である。
【符号の説明】
【００８９】
１０１  情報通信端末
１０２  ネットワーク機器
１０３  入退場管理装置
１０４  ネットワーク
２０１  ネットワーク機器利用手段
２０２  ネットワーク機器利用設定手段
２０３  ネットワーク設定手段
２０４  カード読み取り手段
２０５  警告手段
２０６  ネットワーク利用設定排他手段
２０７  ネットワーク設定排他手段
２０８  設定削除手段
２２１  ネットワーク機器利用情報管理手段
２２２  ユーザ認証手段
２２３  ゲート制御手段
２２４  ネットワーク管理手段
２２５  カード情報読み書き手段
【図１】
2010102410.tif 000003
【図２】
2010102410.tif 000004
【図３】
2010102410.tif 000005
【図４】
2010102410.tif 000006
【図５】
2010102410.tif 000007
【図６】
2010102410.tif 000008
【図７】
2010102410.tif 000009
【図８】
2010102410.tif 000010
【図９】
2010102410.tif 000011
【図１０】
2010102410.tif 000012